(57)【特許請求の範囲】
【請求項１】
現像カートリッジであって、
トナーを収容可能な筐体と、
第１方向に延びる現像ローラと、
前記現像ローラに接続され、かつ、前記現像ローラとともに回転可能な現像ローラギアであって、前記筐体の外面に位置する現像ローラギアと、
前記第１方向に延びる第１軸について回転可能であり、前記外面に位置するカップリングであって、前記現像ローラギアと噛み合い、かつ、前記カップリングとともに回転可能なカップリングギアを備えるカップリングと、
前記カップリングギアに噛み合い、かつ、前記第１方向に延びる第２軸について回転可能な第１アイドルギアであって、前記筐体の外面に位置する第１アイドルギアと、
前記第１アイドルギアとともに前記第２軸について回転可能であり、前記外面に位置し、かつ、前記第１アイドルギアよりも前記外面から離れて位置する第２アイドルギアであって、第２アイドルギアの径は、前記第１アイドルギアの径よりも小さく、前記外面に位置する第２アイドルギアと、
前記第１方向に延びるアジテータと、
前記アジテータに接続され、かつ、前記第１方向に延びる第３軸について前記アジテータとともに回転可能なアジテータギアであって、前記外面に位置し、かつ、前記第２アイドルギアに噛み合うアジテータギアと、
前記第１方向に延びる第１突部であって、前記第１軸と前記第３軸とを結ぶ方向において前記第１軸と前記第３軸との間に位置し、かつ、前記外面に位置する第１突部であって、前記現像ローラギアの歯先円と、前記カップリングギアの歯先円と、前記第１アイドルギアの歯先円と、前記第２アイドルギアの歯先円との外側に位置する第１突部と
前記第１方向に延び、前記外面に位置する第２突部であって、前記第１突部に対して前記現像ローラとは反対側に位置する第２突部であって、前記現像ローラギアの歯先円と、前記カップリングギアの歯先円と、前記第１アイドルギアの歯先円と、前記第２アイドルギアの歯先円との外側に位置する第２突部と
を備え、
前記アジテータギアは、前記第１方向において、前記第１突部および前記第２突部から間隔を空けて離れており、
前記現像カートリッジが、前記現像カートリッジと対応する特定の仕様を有するドラムカートリッジに装着されたときに、前記第１突部は、前記特定の仕様を有するドラムカートリッジの押圧部材から、前記特定の仕様を有するドラムカートリッジの感光ドラムへ向けて第１の押圧力を受けることを特徴とする現像カートリッジ。
【請求項２】
前記現像カートリッジが、前記特定の仕様とは異なる仕様を有するドラムカートリッジに装着されたときに、
前記第１突部は、前記異なる仕様を有するドラムカートリッジの押圧部材から前記異なる仕様を有するドラムカートリッジの感光ドラムへ向けて前記第１の押圧力よりも小さな第２の押圧力を受けるか、または、押圧力を受けないことを特徴とする請求項１に記載の現像カートリッジ。
【請求項３】
前記現像カートリッジが、前記特定の仕様を有するドラムカートリッジに装着されるときに、前記第２突部は、前記特定の仕様を有するドラムカートリッジに当接しないことを特徴とする請求項１または請求項２に記載の現像カートリッジ。
【請求項４】
前記現像カートリッジが、前記特定の仕様と異なる仕様を有するドラムカートリッジに装着されるときに、前記第２突部は、前記異なる仕様を有するドラムカートリッジに当接して前記異なる仕様を有するドラムカートリッジに対する現像カートリッジの装着を規制することを特徴とする請求項１に記載の現像カートリッジ。
【発明の詳細な説明】
【技術分野】
【０００１】
本発明は、現像カートリッジおよびドラムカートリッジに関する。
【背景技術】
【０００２】
従来、ドラムカートリッジに装着可能な現像カートリッジが知られている。ドラムカートリッジは、例えば、感光ドラムを有するカートリッジである（例えば、下記特許文献１参照。）。
【０００３】
現像カートリッジは、現像カートリッジの側面にリブを有する。そして、現像カートリッジがドラムカートリッジに装着されると、リブは、ドラムカートリッジに設けられている揺動アームによって押圧される。これにより、現像カートリッジの現像ローラは、ドラムカートリッジの感光体ドラムに押圧される。
【先行技術文献】
【特許文献】
【０００４】
【特許文献１】特開２０１３−５０４９３号公報
【発明の概要】
【発明が解決しようとする課題】
【０００５】
従来の現像カートリッジでは、現像カートリッジの側面に、カップリング、アイドルギア、および、アジテータギアが設けられる。このため、従来技術の位置よりも現像ローラに近い位置に、リブなどの突起を配置しようとする場合、上述したいずれかのギアと当たり、ギアの回転が妨げられるおそれがある。
【０００６】
そこで、本開示の目的は、リブ等の突起が現像ローラに近い位置に配置された場合であっても、現像カートリッジの側面のギアが回転可能な現像カートリッジ、および、そのような現像カートリッジを装着可能なドラムカートリッジを提供することにある。
【課題を解決するための手段】
【０００７】
（１）上記した目的を達成するため、本発明の現像カートリッジは、トナーを収容可能な筐体と、第１方向に延びる現像ローラと、現像ローラに接続され、かつ、現像ローラとともに回転可能な現像ローラギアであって、筐体の外面に位置する現像ローラギアと、第１方向に延びる第１軸について回転可能であり、外面に位置するカップリングであって、現像ローラギアと噛み合い、かつ、カップリングとともに回転可能なカップリングギアを備えるカップリングと、カップリングギアに噛み合い、かつ、第１方向に延びる第２軸について回転可能な第１アイドルギアであって、筐体の外面に位置する第１アイドルギアと、第１アイドルギアとともに第２軸について回転可能であり、外面に位置し、かつ、第１アイドルギアよりも外面から離れて位置する第２アイドルギアであって、第２アイドルギアの径は、第１アイドルギアの径よりも小さく、外面に位置する第２アイドルギアと、第１方向に延びるアジテータと、アジテータに接続され、かつ、第１方向に延びる第３軸についてアジテータとともに回転可能なアジテータギアであって、外面に位置し、かつ、第２アイドルギアに噛み合うアジテータギアと、第１方向に延びる第１突部であって、第１軸と第３軸とを結ぶ方向において第１軸と第３軸との間に位置し、かつ、外面に位置する第１突部であって、現像ローラギアの歯先円と、カップリングギアの歯先円と、第１アイドルギアの歯先円と、第２アイドルギアの歯先円との外側に位置する第１突部と、第１方向に延び、外面に位置する第２突部であって、第１突部に対して現像ローラとは反対側に位置する第２突部であって、現像ローラギアの歯先円と、カップリングギアの歯先円と、第１アイドルギアの歯先円と、第２アイドルギアの歯先円との外側に位置する第２突部とを備える。アジテータギアは、第１方向において、第１突部および第２突部から間隔を空けて離れている。
【０００８】
このような構成によれば、第１突部が現像ローラの近い位置（具体的には、第１軸と第３軸との間）に配置され、第２突部が第１突部に対して現像ローラとは反対側に配置された場合であっても、カップリング、アイドルギアおよびアジテータギアを回転させることができる。
（２）本発明の現像カートリッジは、現像カートリッジと対応する特定の仕様を有するドラムカートリッジに装着されたときに、第１突部が、特定の仕様を有するドラムカートリッジの押圧部材から、特定の仕様を有するドラムカートリッジの感光ドラムへ向けて第１の押圧力を受けてもよい。
（３）本発明の現像カートリッジは、特定の仕様と異なる仕様を有するドラムカートリッジに装着されたときに、第１突部が、異なる仕様を有するドラムカートリッジの押圧部材から異なる仕様を有するドラムカートリッジの感光ドラムへ向けて第１の押圧力よりも小さな第２の押圧力を受けるか、または、押圧力を受けなくてもよい。
（４）本発明の現像カートリッジは、特定の仕様を有するドラムカートリッジに装着されるときに、第２突部が、特定の仕様を有するドラムカートリッジに当接しなくてもよい。
（５）本発明の現像カートリッジは、異なる仕様を有するドラムカートリッジに装着されるときに、第２突部が、異なる仕様を有するドラムカートリッジに当接して異なる仕様を有するドラムカートリッジに対する現像カートリッジの装着を規制してもよい。
（６）本発明のドラムカートリッジは、第１方向に延びる感光ドラムと、第１端部と、第１端部に対して、第１方向と異なる第２方向に間隔を隔てる第２端部とを備え、第１端部に感光ドラムが位置し、かつ、現像カートリッジを装着可能なフレームと、第２方向において感光ドラムと第２端部との間に位置し、現像カートリッジの第１突部を感光ドラムに向けて押圧可能な押圧部材と、第２方向において押圧部材と第２端部との間に位置する１以上の突部とを備える。
（７）本発明のドラムカートリッジは、ドラムカートリッジと対応する特定の仕様を有する現像カートリッジが装着されたときに、押圧部材が、特定の仕様を有する現像カートリッジの第１突部を、感光ドラムへ向けて第１の押圧力で押圧してもよい。
（８）本発明のドラムカートリッジは、特定の仕様と異なる仕様を有する現像カートリッジが装着されたときに、押圧部材が、異なる仕様を有する現像カートリッジの第１突部を感光ドラムへ向けて第１の押圧力よりも小さな第２の押圧力で押圧するか、または、押圧しなくてもよい。
（９）本発明のドラムカートリッジは、特定の仕様を有する現像カートリッジが装着されるときに、１以上の突部が、特定の仕様を有する現像カートリッジの第２突部に当接しなくてもよい。
（１０）本発明のドラムカートリッジは、異なる仕様を有する現像カートリッジが装着されるときに、１以上の突部のいずれかが、異なる仕様を有する現像カートリッジの第２突部に当接して異なる仕様を有する現像カートリッジが装着されることを規制してもよい。
（１１）本発明のドラムカートリッジは、第１方向に延びる感光ドラムと、第１端部と、第１端部に対して、第１方向と異なる第２方向に間隔を隔てる第２端部とを備え、第１端部に感光ドラムが位置し、かつ、現像カートリッジを装着可能なフレームと、第２方向において感光ドラムと第２端部との間に位置し、現像カートリッジの第１突部を感光ドラムに向けて押圧可能な押圧部材とを備える。押圧部材は、ドラムカートリッジに、ドラムカートリッジと対応する特定の仕様を有する現像カートリッジが装着されたときに、特定の仕様を有する現像カートリッジの第１突部を、感光ドラムへ向けて、第１の押圧力で押圧し、ドラムカートリッジに、特定の仕様と異なる仕様を有する現像カートリッジが装着されるときに、異なる仕様を有する現像カートリッジの第１突部を感光ドラムへ向けて、第１の押圧力よりも小さな第２の押圧力で押圧するか、または、押圧しない。
【発明の効果】
【０００９】
本発明の現像カートリッジでは、第１突部が現像ローラの近い位置に配置され、第２突部が第１突部に対して現像ローラとは反対側に配置された場合であっても、カップリング、アイドルギアおよびアジテータギアを回転させることができる。
【００１０】
また、本発明のドラムカートリッジでは、第１突部および第２突部を有する現像カートリッジを適正に装着できる。
【図面の簡単な説明】
【００１１】
【図１】図１は、第１の仕様の現像カートリッジの斜視図である。なお、図１では、ギアカバーを省略している。
【図２】図２は、図１に示す現像カートリッジの分解斜視図である。
【図３】図３は、図１に示す現像カートリッジの断面図であって、アジテータギアを通る断面図である。
【図４】図４は、図３に示す現像カートリッジのＡ−Ａ断面図である。
【図５】図５は、図４に示す現像カートリッジの第１方向における一方の端部の斜視図である。
【図６】図６は、第１の仕様のドラムカートリッジの斜視図である。
【図７】図７は、第１の仕様の現像カートリッジが、第１の仕様のドラムカートリッジに装着された状態を示す断面図である。
【図８】図８は、第２の仕様の現像カートリッジが、第２の仕様のドラムカートリッジに装着された状態を示す断面図である。
【図９】図９は、第３の仕様の現像カートリッジが、第３の仕様のドラムカートリッジに装着された状態を示す断面図である。
【図１０】図１０は、第４の仕様の現像カートリッジが、第４の仕様のドラムカートリッジに装着された状態を示す断面図である。
【図１１】図１１は、第５の仕様の現像カートリッジが、第５の仕様のドラムカートリッジに装着された状態を示す断面図である。
【図１２】図１２は、第６の仕様の現像カートリッジが、第６の仕様のドラムカートリッジに装着された状態を示す断面図である。
【図１３】図１３は、第１の仕様の現像カートリッジが、第２の仕様のドラムカートリッジに挿入された状態を示す断面図である。
【図１４】図１４は、第１の仕様の現像カートリッジが、第４の仕様のドラムカートリッジに挿入された状態を示す断面図である。
【図１５】図１５は、第４の仕様の現像カートリッジが、第１の仕様のドラムカートリッジに装着された状態を示す断面図である。
【発明を実施するための形態】
【００１２】
１．現像カートリッジ１Ａ
図１を参照して、第１の仕様の現像カートリッジ１Ａを説明する。
【００１３】
図１に示すように、現像カートリッジ１Ａは、筐体２と、現像ローラ３と、現像ローラ３の表面に担持されるトナーの厚みを規制するための層厚規制ブレード６と、現像ローラ３のシャフト３Ｂを回転可能に支持するための軸受け７と、ギア列８とを備える。
【００１４】
なお、以下の説明において、現像ローラ３が延びる方向が、第１方向である。また、第１方向において、ギア列８が設けられる側が、第１方向の一方であり、ギア列８が設けられる側と反対側が、第１方向の他方である。
【００１５】
筐体２は、第１方向に延びる。筐体２は、内部に、トナーを収容可能に構成される。筐体２は、中空の角筒形状を有する。筐体２は、第１方向の一方に位置する外面２Ａと、第１方向の他方に位置する外面２Ｂとを備える。
１．１  現像ローラ３
現像ローラ３は、第１方向に延びる。現像ローラ３は、ローラ３Ａと、シャフト３Ｂとを備える。
【００１６】
ローラ３Ａは、第１方向に延びる。ローラ３Ａは、円筒形状を有する。ローラ３Ａは、例えば、導電性を有するゴムからなる。ローラ３Ａは、第１方向において、筐体２の外面２Ａと外面２Ｂとの間に位置する。ローラ３Ａの周面の一部は、筐体２の外側に露出している。
【００１７】
シャフト３Ｂは、第１方向に延びる。シャフト３Ｂは、円柱形状を有する。シャフト３Ｂは、金属からなる。シャフト３Ｂは、第１方向において、ローラ３Ａよりも長い。シャフト３Ｂは、第１方向において、ローラ３Ａを貫通する。また、シャフト３Ｂは、第１方向において、外面２Ａを貫通する。外面２Ａを貫通したシャフト３Ｂの端部３Ｃは、外面２Ａよりも外側に位置する。外面２Ａを貫通したシャフト３Ｂの端部３Ｃは、外面２Ａに取り付けられる軸受け７に、回転可能に支持される。これにより、現像ローラ３は、シャフト３Ｂの中心軸線Ａ４について、回転可能である。
１．２  供給ローラ
現像カートリッジ１Ａは、筐体２内において、現像ローラ３にトナーを供給するための供給ローラをさらに備える。供給ローラは、供給ローラとともに回転可能なシャフト４を備える。
【００１８】
シャフト４は、第１方向に延びる。シャフト４は、円柱形状を有する。シャフト３Ｂは、金属からなる。シャフト４は、第１方向において、外面２Ａを貫通する。外面２Ａを貫通したシャフト４は、外面２Ａよりも外側に位置する。外面２Ａを貫通したシャフト４は、外面２Ａに取り付けられる軸受け７に、回転可能に支持される。これにより、供給ローラは、シャフト４の中心軸線について、回転可能である。
１．３  アジテータ５
現像カートリッジ１Ａは、後述する図４に示すように、アジテータ５をさらに備える。アジテータ５は、筐体２の内部に設けられる。アジテータ５は、第１方向に延びる。アジテータ５は、シャフト５Ａと、筐体２内のトナーを攪拌するための羽根５Ｂとを備える。
【００１９】
シャフト５Ａは、第１方向に延びる。シャフト５Ａは、円柱形状を有する。シャフト５Ａは、第１方向において、筐体２の外面２Ａを貫通する。外面２Ａを貫通したシャフト５Ａの端部５Ｃは、筐体２の外側に位置する。アジテータ５は、シャフト５Ａの中心軸線について回転可能である。シャフト５Ａの中心軸線は、第３軸Ａ３である。
１．４  ギア列８
図１に示すように、ギア列８は、第１方向において、筐体２の一方に位置する。具体的には、ギア列８は、筐体２の外面２Ａに位置する。
２．ギア列８の詳細
図２および図３を参照して、ギア列８の詳細について説明する。
【００２０】
ギア列８は、カップリング１１と、現像ローラギア１２と、供給ローラのシャフト４とともに回転可能であり、カップリングギア１１Ｂに噛み合う供給ローラギア１３と、アイドルギア１４と、アジテータギア１５とを備える。
２．１  カップリング１１
カップリング１１は、第１方向において、外面２Ａの一方に位置する。カップリング１１は、第１方向において、外面２Ａに対して、外面２Ｂの反対側に位置する。カップリング１１は、円柱形状を有する。カップリング１１は、第１方向に延びる。カップリング１１は、軸受け７に設けられるシャフト１６に取り付けられる。なお、シャフト１６は、第１方向と直交する方向において、現像ローラ３のシャフト３Ｂと、アイドルギア１４が取り付けられるシャフト１７との間に位置する。シャフト１６は、第１方向において、軸受け７の一方の面から一方に延びる。シャフト１６は、円筒形状である。カップリング１１は、シャフト１６の中心軸線について回転可能である。シャフト１６の中心軸線は、第１軸Ａ１である。第１軸Ａ１は、第１方向に延びる。カップリング１１は、シャフト１６に取り付けられることにより、軸受け７を介して、筐体２の外面２Ａに位置する。カップリング１１は、継手１１Ａと、カップリングギア１１Ｂとを備える。
２．１．１  継手１１Ａ
継手１１Ａは、現像カートリッジ１Ａの外部から駆動力を受けるための構成である。継手１１Ａは、第１方向において、カップリング１１の一方の端部に位置する。継手１１Ａは、第１方向において、カップリングギア１１Ｂに対して、外面２Ａの反対側に位置する。継手１１Ａは、第１方向において、カップリング１１の一方の端部から他方へ窪む空間１１Ｃを有する。言い換えると、空間１１Ｃは、第１方向において、カップリング１１の外面から内側へ窪む。空間１１Ｃは、第１方向に見て円形状を有する。また、継手１１Ａは、空間１１Ｃ内において、２つの当接部１１Ｄを有している。２つの当接部１１Ｄは、空間１１Ｃの径方向において、互いに間隔を隔てて位置する。２つの当接部１１Ｄは、例えば、後述する画像形成装置が継手１１Ａに駆動を入力する駆動入力部を備える場合、画像形成装置の駆動入力部に係合可能である。２つの当接部１１Ｄは、画像形成装置の駆動入力部に係合することにより、画像形成装置の駆動入力部から駆動力を受けることが可能となる。２つの当接部１１Ｄが、画像形成装置の駆動入力部に係合し、駆動力を受けることにより、カップリング１１は、第１軸Ａ１について回転する。
２．１．２  カップリングギア１１Ｂ
カップリングギア１１Ｂは、第１方向において、外面２Ａと継手１１Ａとの間に位置する。カップリングギア１１Ｂは、第１方向において、継手１１Ａの他方に位置する。カップリングギア１１Ｂは、継手１１Ａと一体的に構成される。これにより、カップリングギア１１Ｂは、カップリング１１とともに回転可能である。カップリングギア１１Ｂは、複数のギア歯を有する。複数のギア歯は、カップリングギア１１Ｂの周面に設けられる。
２．２  現像ローラギア１２
現像ローラギア１２は、第１方向において、外面２Ａの一方に位置する。現像ローラギア１２は、第１方向において、外面２Ａに対して、外面２Ｂの反対側に位置する。現像ローラギア１２は、第１方向において、軸受け７の一方に位置する。現像ローラギア１２は、第１方向において、軸受け７に対して、外面２Ａの反対側に位置する。現像ローラギア１２は、カップリング１１のカップリングギア１１Ｂと噛み合う。現像ローラギア１２は、円板形状を有する。現像ローラギア１２は、第１方向に厚みを有する。現像ローラギア１２は、複数のギア歯を有する。複数のギア歯は、現像ローラギア１２の周面に設けられる。現像ローラギア１２は、現像ローラギア１２の径方向における中央に、貫通穴１２Ａを有する。軸受け６を貫通した現像ローラ３のシャフト３Ｂの端部３Ｃが貫通穴１２Ａに挿入されることにより、現像ローラギア１２は、現像ローラ３のシャフト３Ｂの端部３Ｃに取り付けられる。これにより、現像ローラギア１２は、現像ローラ３のシャフト３Ｂに接続される。現像ローラギア１２は、現像ローラ３のシャフト３Ｂの端部３Ｃを介して、筐体２の外面２Ａに位置する。シャフト３Ｂの端部３Ｃは、第１方向に見てＤ形状を有する。言い換えると、シャフト３Ｂの端部３Ｃは、第１方向に見て円弧形状である円弧面３Ｄと、第１方向に見て直線形状である平面３Ｅとを有する。円弧面３Ｄおよび平面３Ｅは、第１方向に延びる。貫通穴１２Ａは、第１方向に見て、Ｄ形状を有する。言い換えると、貫通穴１２Ａの内面は、第１方向に見て円弧形状である円弧面１２Ｂと、第１方向に見て直線形状である平面１２Ｃとを有する。貫通穴１２Ａの円弧面１２Ｂは、現像ローラ３のシャフト３Ｂの円弧面３Ｄと向かい合う。貫通穴１２Ａの平面１２Ｃは、現像ローラ３のシャフト３Ｂの平面３Ｅと向かい合う。これにより、現像ローラギア１２は、現像ローラ３のシャフト３Ｂとともに回転可能となる。
２．３  アイドルギア１４
アイドルギア１４は、第１方向において、外面２Ａの一方に位置する。アイドルギア１４は、第１方向において、外面２Ａに対して、外面２Ｂの反対側に位置する。アイドルギア１４は、外面２Ａに設けられるシャフト１７に取り付けられる。シャフト１７は、第１方向と直交する方向において、カップリング１１が取付られるシャフト１６に対して、現像ローラ３のシャフト３Ｂの反対側に位置する。シャフト１７は、外面２Ａから外方に延びる。シャフト１７は、円筒形状である。アイドルギア１４は、シャフト１７の中心軸線について回転可能である。シャフト１７の中心軸線は、第２軸Ａ２である。第２軸Ａ２は、第１方向に延びる。アイドルギア１４は、シャフト１７に取り付けられることにより、筐体２の外面２Ａに位置する。アイドルギア１４は、第１アイドルギア１４Ａと、第２アイドルギア１４Ｂとを備える。
２．３．１  第１アイドルギア１４Ａ
第１アイドルギア１４Ａは、第１方向において、外面２Ａと第２アイドルギア１４Ｂとの間に位置する。第１アイドルギア１４Ａは、円板形状を有する。第１アイドルギア１４Ａは、第１方向に厚みを有する。第１アイドルギア１４Ａは、複数のギア歯を有する。複数のギア歯は、第１アイドルギア１４Ａの周面に設けられる。第１アイドルギア１４Ａは、カップリング１１のカップリングギア１１Ｂと噛み合う。
２．３．２  第２アイドルギア１４Ｂ
第２アイドルギア１４Ｂは、第１方向において、第１アイドルギア１４Ａに対して外面２Ａの反対側に位置する。すなわち、第２アイドルギア１４Ｂは、第１方向において、第１アイドルギア１４Ａよりも外面２Ａから離れている。第２アイドルギア１４Ｂは、第１方向において、第１アイドルギア１４Ａの外面から外側へ延びる。第２アイドルギア１４Ｂは、円筒形状を有する。第２アイドルギア１４Ｂは、第１アイドルギア１４Ａの径よりも小さな径を有する。第２アイドルギア１４Ｂは、複数のギア歯を有する。複数のギア歯は、第２アイドルギア１４Ｂの周面に設けられる。第２アイドルギア１４Ｂは、第１アイドルギア１４Ａと一体的に構成される。これにより、第２アイドルギア１４Ｂは、第１アイドルギア１４Ａとともに外面２Ａに位置し、第１アイドルギア１４Ａとともに第２軸Ａ２について回転可能である。
２．３  アジテータギア１５
アジテータギア１５は、第１方向において、外面２Ａの一方に位置する。アジテータギア１５は、第１方向において、外面２Ａに対して、外面２Ｂの反対側に位置する。アジテータギア１５は、アジテータ５のシャフト５Ａの端部５Ｃに取り付けられる。アジテータギア１５は、円筒部１５Ａと、ギア部１５Ｂとを有する。
２．３．１  円筒部１５Ａ
円筒部１５Ａは、第１方向において、外面２Ａとギア部１５Ｂとの間に位置する。円筒部１５Ａは、第１方向に延びる。円筒部１５Ａは、貫通穴１５Ｃを有する。貫通穴１５Ｃは、円筒部１５Ａの径方向における中央に位置する。貫通穴１５Ｃは、円筒部１５Ａを第１方向に貫通する。アジテータ５のシャフト５Ａの端部５Ｃが貫通穴１５Ｃに挿入されることにより、アジテータギア１５は、アジテータ５のシャフト５Ａの端部５Ｃに取り付けられる。アジテータギア１５は、アジテータ５のシャフト５Ａの端部５Ｃを介して、筐体２の外面２Ａに位置する。シャフト５Ａの端部５Ｃは、第１方向に見てＤ形状を有する。言い換えると、シャフト５Ａの端部５Ｃは、第１方向に見て円弧形状である円弧面５Ｄと、第１方向に見て直線形状である平面５Ｅとを有する。円弧面５Ｄおよび平面５Ｅは、第１方向に延びる。貫通穴１５Ｃは、第１方向に見てＤ形状を有する。言い換えると、貫通穴１５Ｃの内面は、第１方向に見て円弧形状である円弧面１５Ｄと、第１方向に見て直線形状である平面１５Ｅとを有する。貫通穴１５Ｃの円弧面１５Ｄは、アジテータ５のシャフト５Ａの円弧面５Ｄと向かい合う。貫通穴１５Ｃの平面１５Ｅは、アジテータ５のシャフト５Ａの平面５Ｅと向かい合う。これにより、アジテータギア１５は、アジテータ５のシャフト５Ａに接続され、アジテータ５のシャフト５Ａとともに回転可能となる。
２．３．２  ギア部１５Ｂ
ギア部１５Ｂは、第１方向において、円筒部１５Ａに対して外面２Ａの反対側に位置する。ギア部１５Ｂは、円板形状を有する。ギア部１５Ｂは、第１方向に厚みを有する。ギア部１５Ｂは、複数のギア歯を有する。複数のギア歯は、ギア部１５Ｂの周面に設けられる。ギア部１５Ｂは、円筒部１５Ａの径よりも大きな径を有する。ギア部１５Ｂは、円筒部１５Ａと一体的に構成される。これにより、ギア部１５Ｂは、円筒部１５Ａとともに回転可能である。ギア部１５Ｂは、アイドルギア１４の第２アイドルギア１４Ｂと噛み合う。
３．  第１突部２０Ａおよび第２突部２１Ａ
筐体２は、図２および図３に示すように、第１突部２０Ａと、第２突部２１Ａとをさらに備える。
３．１  第１突部２０Ａの位置
図３および図４を参照して、第１突部２０Ａの位置について説明する。
【００２１】
第１突部２０Ａは、外面２Ａに位置する。第１突部２０Ａは、第１方向に延びる。第１突部２０Ａは、現像ローラ３の中心軸線Ａ４と第３軸Ａ３とを結ぶ仮想線Ｌに対して、シャフト１７の反対側に位置する。第１突部２０Ａは、第１軸Ａ１と第３軸Ａ３とを結ぶ方向において、第１軸Ａ１と第３軸Ａ３との間に位置する。第１突部２０Ａは、第１方向に見て、現像ローラギア１２の歯先円Ｃ１と、カップリングギア１１Ｂの歯先円Ｃ２と、第１アイドルギア１４Ａの歯先円Ｃ３と、第２アイドルギア１４Ｂの歯先円Ｃ４との外側に位置する。第１突部２０Ａの少なくとも一部は、第１方向に見て、アジテータギア１５のギア部１５Ｂの歯先円Ｃ５の内側に位置する。
【００２２】
また、第１突部２０Ａは、第１方向において、外面２Ａと、アジテータギア１５のギア部１５Ｂとの間に位置する。言い換えると、アジテータギア１５のギア部１５Ｂは、第１方向において、第１突部２０Ａよりも外面２Ａから離れている。すなわち、アジテータギア１５のギア部１５Ｂは、第１方向において、第１突部２０Ａから間隔を空けて離れて位置する。これにより、第１突部２０Ａは、第１方向に見てアジテータギア１５のギア部１５Ｂの歯先円Ｃ５の内側に位置していたとしても、アジテータギア１５のギア部１５Ｂの回転を妨げない。
【００２３】
なお、第１突部２０Ａは、第１方向において、外面２Ｂにも設けられる。外面２Ｂの第１突部２０Ａは、第１方向において、外面２Ｂから一方へ延びる。外面２Ｂの第１突部２０Ａの少なくとも一部は、第１方向に見て、外面２Ａの第１突部２０Ａの少なくとも一部と一致する。
３．２  第１突部２０Ａの形状
図３を参照して、第１突部２０Ａの位置について説明する。
【００２４】
第１突部２０Ａは、第１方向に見てＵ字形状を有する。第１突部２０Ａは、第１突部２０Ａから現像ローラ３へ向かう方向への押圧力を受けることが可能な形状である。具体的には、第１突部２０Ａは、第１突部２０Ａから現像ローラ３へ向かう方向への押圧力を受けるための面２２を有する。面２２は、湾曲面である。面２２は、後述するドラムカートリッジ３０Ａの押圧部材３５Ａが接触することにより、押圧部材３５Ａから感光ドラム３２へ向けての押圧力を受ける。
【００２５】
なお、外面２Ｂの第１突部２０Ａも、外面２Ａの第１突部２０Ａと同様に、後述するドラムカートリッジ３０Ａの押圧部材３５Ｂからの押圧力を受けることが可能な形状であり、後述するドラムカートリッジ３０Ａの押圧部材３５Ｂからの押圧力を受けるための面２２を有する。
３．３  第２突部２１Ａの位置
図３を参照して、第１突部２０Ａの位置について説明する。
【００２６】
第２突部２１Ａは、第１突部２０Ａに対して、現像ローラ３の反対側に位置する。第２突部２１Ａは、外面２Ａに位置する。第２突部２１Ａは、第１方向に延びる。第２突部２１Ａは、第１方向に見て、現像ローラギア１２の歯先円Ｃ１と、カップリングギア１１Ｂの歯先円Ｃ２と、第１アイドルギア１４Ａの歯先円Ｃ３と、第２アイドルギア１４Ｂの歯先円Ｃ４との外側に位置する。第２突部２１Ａの少なくとも一部は、第１方向に見て、アジテータギア１５のギア部１５Ｂの歯先円Ｃ５の内側に位置する。
３．４  第２突部２１Ａの形状
図５を参照して、第２突部２１Ａの形状について説明する。
【００２７】
第２突部２１Ａは、角柱形状を有する。第２突部２１Ａは、第１方向において、第１突部２０Ａよりも短い。すなわち、第１方向において、第２突部２１Ａの一方の端部は、第１突部２０Ａの一方の端部よりも、外面２Ａの近くに位置する。これにより、第２突部２１Ａは、第１方向において、アジテータギア１５のギア部１５Ｂに対して、ギア部１５Ｂと第１突部２０Ａとの間隔よりも大きな間隔を空けて、離れて位置する。すなわち、アジテータギア１５のギア部１５Ｂは、第１方向において、第２突部２１Ａから間隔を空けて離れて位置する。
【００２８】
この現像カートリッジ１Ａによれば、図３に示すように、第１突部２０Ａは、第１軸Ａ１と第３軸Ａ３との間において外面２Ａに位置し、現像ローラギア１２の歯先円Ｃ１と、カップリングギア１１Ｂの歯先円Ｃ２と、第１アイドルギア１４Ａの歯先円Ｃ３と、第２アイドルギア１４Ｂの歯先円Ｃ４との外側に位置する。また、第２突部２１Ａは、第１突部２０Ａに対して現像ローラ３とは反対側において、外面２Ａに位置し、現像ローラギア１２の歯先円Ｃ１と、カップリングギア１１Ｂの歯先円Ｃ２と、第１アイドルギア１４Ａの歯先円Ｃ３と、第２アイドルギア１４Ｂの歯先円Ｃ４との外側に位置する。
【００２９】
そして、図４に示すように、アジテータギア１５のギア部１５Ｂは、第１方向において、第１突部２０Ａおよび第２突部２１Ａから間隔を空けて離れている。
【００３０】
そのため、第１突部２０Ａが現像ローラ３に近い位置（具体的には、第１軸Ａ１と第３軸Ａ３との間）に配置され、第２突部２１Ａが第１突部２０Ａに対して現像ローラ３とは反対側に配置された場合であっても、カップリング１１、アイドルギア１４およびアジテータギア１５を回転させることができる。
４．ドラムカートリッジ３０Ａ
以下、図６を参照して、第１の仕様のドラムカートリッジ３０Ａの構成について説明する。
４．１  ドラムカートリッジ３０Ａの概略
図６に示すように、ドラムカートリッジ３０Ａは、フレーム３１と、第１方向に延びる円筒形状の感光ドラム３２とを備える。
【００３１】
フレーム３１は、現像カートリッジ１Ａを装着可能に構成されている。フレーム３１は、矩形のトレイ形状を有する。フレーム３１は、第１方向と異なる第２方向において、第１端部Ｅ１と、第２端部Ｅ２とを有する。具体的には、フレーム３１は、第１方向と直交する第２方向において、第１端部Ｅ１と、第２端部Ｅ２とを有する。なお、第２方向は、後述する支持壁３７の、感光ドラム３２側の面３７Ａに直交する方向である。面３７Ａは、第１方向に延びる。また、第２方向において、第１端部Ｅ１が位置する側が、第２方向の一方であり、第２端部Ｅ２が位置する側が、第２方向の他方である。第１端部Ｅ１と第２端部Ｅ２とは、第２方向において、間隔を隔てている。フレーム３１は、第１端部Ｅ１において、感光ドラム３２を支持する。すなわち、感光ドラム３２は、第１端部Ｅ１に位置する。フレーム３１は、壁３１Ａと、壁３１Ｂと、壁３１Ｃとを備える。壁３１Ａは、現像カートリッジ１Ａが装着されたときに、第１方向において現像カートリッジ１Ａの外面２Ａに向かい合う。壁３１Ｂは、現像カートリッジ１Ａが装着されたときに、第１方向において現像カートリッジ１Ａの外面２Ｂに向かい合う。壁３１Ｃは、壁３１Ａと壁３１Ｂとの間を第１方向に延びる。
４．２  押圧部材３５Ａおよび押圧部材３５Ｂ
図６に示すように、ドラムカートリッジ３０Ａは、押圧部材３５Ａと押圧部材３５Ｂとをさらに備える。
【００３２】
押圧部材３５Ａは、第１方向において、壁３１Ｃの一方の端部に位置する。押圧部材３５Ａは、第１方向において、壁３１Ａよりも壁３１Ｂに近い位置である。押圧部材３５Ａは、第２方向において、感光ドラム３２と第２端部Ｅ２との間に位置する。押圧部材３５Ａは、現像カートリッジ１Ａがドラムカートリッジ３０Ａに装着されたときに、現像カートリッジ１Ａの外面２Ａと、ドラムカートリッジ３０Ａの壁３１Ａとの間に位置する。図６および図７に示すように、押圧部材３５Ａは、支持壁３７と、押圧壁３８Ａと、圧縮ばね３９とを有する。
【００３３】
支持壁３７は、第２方向において、感光ドラム３２と第２端部Ｅ２との間に位置する。支持壁３７は、板形状を有する。支持壁３７は、壁３１Ａと壁３１Ｃとに連続する。これにより、支持壁３７は、壁３１Ａと壁３１Ｃとに固定される。
【００３４】
押圧壁３８Ａは、第２方向において、支持壁３７と感光ドラム３２との間に位置する。押圧壁３８Ａは、第２方向において、支持壁３７よりも感光ドラム３２の近くに位置する。押圧壁３８Ａは、第２方向において、支持壁３７に対して間隔を隔てる。押圧壁３８Ａは、板形状を有する。押圧壁３８Ａは、第１方向に延びる。
【００３５】
圧縮ばね３９は、支持壁３７と押圧壁３８Ａとの間に位置する。圧縮ばね３９は、第２方向に延びる。第２方向において、圧縮ばね３９の一方の端部は、押圧壁３８Ａに固定される。また、第２方向において、圧縮ばね３９の他方の端部は、支持壁３７に固定される。なお、第２方向において、圧縮ばね３９の一方の端部は、押圧壁３８Ａに接触されていればよい。また、第２方向において、圧縮ばね３９の他方の端部は、支持壁３７に接触されていればよい。現像カートリッジ１Ａが、ドラムカートリッジ３０Ａに対して装着された状態で、圧縮ばね３９は、支持壁３７と押圧壁３８Ａとの間で、第２方向に圧縮される。これにより、押圧部材３５Ａは、押圧壁３８Ａによって、現像カートリッジ１Ａの第１突部２０Ａを感光ドラム３２へ向けて押圧する。
【００３６】
押圧部材３５Ｂは、第１方向において、壁３１Ｃの他方の端部に位置する。押圧部材３５Ｂは、第１方向において、壁３１Ｂよりも壁３１Ａに近い位置である。押圧部材３５Ｂは、第２方向において、押圧部材３５Ａと同じ位置に位置する。押圧部材３５Ｂは、現像カートリッジ１Ａがドラムカートリッジ３０Ａに装着されたときに、現像カートリッジ１Ａの外面２Ｂと、ドラムカートリッジ３０Ａの壁３１Ｂとの間に位置する。押圧部材３５Ｂは、押圧部材３５Ａと同様の構造である。
４．３  突部３６Ａ、突部３６Ｂ、突部３６Ｃおよび壁４０
図６および図７に示すように、ドラムカートリッジ３０Ａは、突部３６Ａと、突部３６Ｂと、突部３６Ｃと、壁４０と、凹部４１とをさらに備える。
【００３７】
突部３６Ａ、突部３６Ｂ、および、突部３６Ｃのそれぞれは、第２方向において、押圧部材３５Ａと第２端部Ｅ２との間に位置する。突部３６Ａ、突部３６Ｂ、および、突部３６Ｃのそれぞれは、第２方向において、押圧部材３５Ａに対して、感光ドラム３２の反対側に位置する。
【００３８】
突部３６Ａは、第２方向において、突部３６Ｂおよび突部３６Ｃよりも支持壁３７の近くに位置する。突部３６Ａは、板形状を有する。突部３６Ａは、第１方向に延びる。突部３６Ａの、第１方向および第２方向の両方と直交する第３方向における長さは、突部３６Ｂの第３方向における長さ、および、突部３６Ｃの第３方向における長さよりも短い。
【００３９】
突部３６Ｂは、第２方向において、突部３６Ａに対して支持壁３７の反対側に位置する。突部３６Ｂは、板形状を有する。突部３６Ｂは、第１方向に延びる。
【００４０】
突部３６Ｃは、第２方向において、突部３６Ｂに対して突部３６Ａの反対側に位置する。突部３６Ｃは、板形状を有する。突部３６Ｃは、第１方向に延びる。
【００４１】
壁４０は、第１方向において、突部３６Ｂおよび突部３６Ｃに対して、壁３１Ａの反対側に位置する。壁４０は、第２方向に延びる。壁４０は、第２方向において、突部３６Ｂと突部３６Ｃとの間を閉じる。
【００４２】
凹部４１は、第２方向において、支持壁３７と突部３６Ｂとの間に位置する。凹部４１は、第２方向において、支持壁３７と壁４０との間に位置する。凹部４１は、第３方向において、壁３１Ｃへ向かって凹む。
６．ドラムカートリッジ３０Ａに対する現像カートリッジ１Ａの装着状態
図７に示すように、現像カートリッジ１Ａは、ドラムカートリッジ３０Ａに適正に装着可能である。現像カートリッジ１Ａと、ドラムカートリッジ３０Ａとは、互いに、第１の仕様、すなわち、対応する特定の仕様を有する。なお、現像カートリッジ１Ａがドラムカートリッジ３０Ａに適正に装着されるとは、ドラムカートリッジ３０Ａの押圧部材３５Ａおよび押圧部材３５Ｂから、現像カートリッジ１Ａの第１突部２０Ａに対して、後述する第１の押圧力が加わることをいう。また、現像カートリッジ１Ａは、ドラムカートリッジ３０Ａと一体的に、画像形成装置に装着可能である。
【００４３】
現像カートリッジ１Ａがドラムカートリッジ３０Ａに対して装着された状態で、現像ローラ３の表面は、感光ドラム３２の表面に接触可能となる。
【００４４】
現像カートリッジ１Ａがドラムカートリッジ３０Ａに対して装着された状態で、第１突部２０Ａは、第２方向において、押圧部材３５Ａよりも現像ローラ３の近くに位置する。第２方向において、現像ローラ３の中心軸線Ａ４と、第１突部２０Ａの他方の端部との距離Ｄ１は、例えば、４９．６ｍｍ〜５０．０ｍｍであり、具体的には、４９．８ｍｍである。なお、距離Ｄ１は、４９．３ｍｍ〜５０．３ｍｍであってもよい。また、距離Ｄ１は、４０．０ｍｍ〜６０．０ｍｍであってもよい。押圧部材３５Ａの押圧壁３８は、第１突部２０Ａの面２２に接触する。第２方向において、感光ドラム３２の中心軸線と、押圧壁３８との距離Ｄ２は、現像カートリッジ１Ａがドラムカートリッジ３０Ａに装着された後において、例えば、７３．９ｍｍ〜７４．５ｍｍであり、具体的には、７４．２ｍｍである。なお、距離Ｄ２は、７３．７ｍｍ〜７４．７ｍｍであってもよい。また、距離Ｄ２は、７０．０ｍｍ〜８０．０ｍｍであってもよい。また、現像カートリッジ１Ａがドラムカートリッジ３０Ａに装着されたときに、圧縮ばね３９の縮み量は、例えば、１．３ｍｍ〜２．３ｍｍであり、具体的には、１．８ｍｍである。なお、縮み量は、１．０ｍｍ〜３．１ｍｍであってもよい。また、縮み量は、０．６ｍｍ〜３．５ｍｍであってもよい。また、第２方向において、感光ドラム３２の中心軸線と、支持壁３７との距離Ｄ３は、例えば、８５．５ｍｍ〜８５．９ｍｍであり、具体的には、８５．７ｍｍである。なお、距離Ｄ３は、８５．０ｍｍ〜８６．４ｍｍであってもよい。また、距離Ｄ３は、８０．０ｍｍ〜９０．０ｍｍであってもよい。現像カートリッジ１Ａをドラムカートリッジ３０Ａに装着したときの、押圧部材３５Ａの押圧力が、第１の押圧力である。すなわち、現像カートリッジ１Ａがドラムカートリッジ３０Ａに装着されたときに、第１突部２０Ａは、ドラムカートリッジ３０Ａの押圧部材３５Ａから、感光ドラム３２へ向けて第１の押圧力を受ける。言い換えると、ドラムカートリッジ３０Ａに現像カートリッジ１Ａが装着されたときに、押圧部材３５Ａは、第１の仕様を有する現像カートリッジ１Ａの第１突部２０Ａを、感光ドラム３２へ向けて第１の押圧力で押圧する。
【００４５】
現像カートリッジ１Ａがドラムカートリッジ３０Ａに対して装着された状態で、第２突部２１Ａは、凹部４１内に位置する。具体的には、第２突部２１Ａは、第２方向において、押圧部材３５Ａの支持壁３７と突部３６Ｂとの間に位置する。第２突部２１Ａは、第２方向において、押圧部材３５Ａの支持壁３７、および、突部３６Ｂに対して、間隔を隔てて位置する。第２突部２１Ａは、第３方向において、突部３６Ａに対して、間隔を隔てて位置する。すなわち、現像カートリッジ１Ａがドラムカートリッジ３０Ａに装着されるときに、第２突部２１Ａは、ドラムカートリッジ３０Ａに当接しない。言い換えると、ドラムカートリッジ３０Ａに現像カートリッジ１Ａが装着されるときに、突部３６Ａ、突部３６Ｂおよび突部３６Ｃは、いずれも、現像カートリッジ１Ａの第２突部２１Ａに当接しない。第２方向において、現像ローラ３の中心軸線Ａ４と、第２突部２１Ａとの距離Ｄ４は、例えば、６５．７ｍｍ〜６６．１ｍｍであり、具体的には、６５．９ｍｍである。なお、距離Ｄ４は、６５．４ｍｍ〜６７．４ｍｍであってもよい。また、距離Ｄ４は、６０．０ｍｍ〜７０．０ｍｍであってもよい。第２方向において、支持壁３７と突部３６Ａとの距離Ｄ５は、例えば、３．７ｍｍ〜５．７ｍｍであり、具体的には、４．７ｍｍである。なお、距離Ｄ５は、例えば、３．２ｍｍ〜６．２ｍｍであってもよい。また、距離Ｄ５は、例えば、２．５ｍｍ〜６．９ｍｍであってもよい。第２方向において、支持壁３７と突部３６Ｂとの距離Ｄ６は、例えば、９．７ｍｍ〜１１．７ｍｍであり、具体的には、１０．７ｍｍである。なお、距離Ｄ６は、９．２ｍｍ〜１２．２ｍｍであってもよい。また、距離Ｄ６は、８．０ｍｍ〜１３．４ｍｍであってもよい。第２方向において、支持壁３７と突部３６Ｃとの距離Ｄ７は、例えば、１５．７ｍｍ〜１７．７ｍｍであり、具体的には、１６．７ｍｍである。なお、距離Ｄ７は、１５．２ｍｍ〜１８．２ｍｍであってもよい。また、距離Ｄ７は、１３．０ｍｍ〜２０．４ｍｍであってもよい。
５．第２の仕様の現像カートリッジ１Ｂおよび第２の仕様のドラムカートリッジ３０Ｂ
図８を参照して、第２の仕様の現像カートリッジ１Ｂおよび第２の仕様のドラムカートリッジ３０Ｂについて説明する。なお、第２の仕様の現像カートリッジ１Ｂおよび第２の仕様のドラムカートリッジ３０Ｂにおいて、第１の仕様の現像カートリッジ１Ａおよび第１の仕様のドラムカートリッジ３０Ａと同様の部材には同じ符号を付し、その説明を省略する。
【００４６】
第２の仕様の現像カートリッジ１Ｂでは、第２突部２１Ｂは、第２方向において、第１の仕様の現像カートリッジ１Ａの第２突部２１Ａよりも現像ローラ３から離れて位置する。第２の仕様の現像カートリッジ１Ｂの第２突部２１Ｂは、後述する第２の仕様のドラムカートリッジ３０Ｂの突部５０Ｂに向かい合う位置に位置する。現像カートリッジ１Ｂでは、第２方向において、現像ローラ３の中心軸線Ａ４と、第２突部２１Ｂとの距離Ｄ８が、例えば、７１．７ｍｍ〜７２．１ｍｍであり、具体的には、７１．９ｍｍである。なお、距離Ｄ８は、７１．４ｍｍ〜７２．６ｍｍであってもよい。また、距離Ｄ８は、６８．０ｍｍ〜７６．０ｍｍであってもよい。距離Ｄ８は、現像カートリッジ１Ａの距離Ｄ４よりも長い。なお、第２突部２１Ｂの位置以外の構造について、第２の仕様の現像カートリッジ１Ｂは、第１の仕様の現像カートリッジ１Ａと同様の構造である。
【００４７】
第２の仕様のドラムカートリッジ３０Ｂは、突部３６Ａ、突部３６Ｂ、突部３６Ｃ、壁４０および凹部４１の代わりに、突部５０Ａ、突部５０Ｂ、突部５０Ｃ、壁５１および凹部５２を備える以外、第１の仕様のドラムカートリッジ３０Ａと同様の構造である。
【００４８】
突部５０Ａは、第２方向において、突部３６Ａと同じ位置に位置する。突部５０Ａの第３方向における長さは、突部３６Ａの第３方向における長さよりも長い。
【００４９】
突部５０Ｂは、第２方向において、突部３６Ｂと同じ位置に位置する。突部５０Ｂの第３方向における長さは、突部３６Ｂの第３方向における長さよりも短い。また、突部５０Ｂの第３方向における長さは、突部５０Ａの第３方向における長さ、および、突部５０Ｃの第３方向における長さよりも短い。
【００５０】
突部５０Ｃは、突部３６Ｃと同じ位置に位置し、同じ構造を有する。
【００５１】
壁５１は、第２方向において、支持壁３７と突部５０Ａとの間に位置する。壁５１は、第２方向に延びる。壁５１は、第２方向において、支持壁３７と突部５０Ａとの間を閉じる。
【００５２】
凹部５２は、第２方向において、突部５０Ａと突部５０Ｃとの間に位置する。凹部５２は、第２方向において、壁５１と突部５０Ｃとの間に位置する。凹部５２は、第３方向において、壁３１Ｃへ向かって凹む。
【００５３】
現像カートリッジ１Ｂは、ドラムカートリッジ３０Ｂに適正に装着可能である。現像カートリッジ１Ｂと、ドラムカートリッジ３０Ｂとは、互いに、第２の仕様、すなわち、対応する特定の仕様を有する。
【００５４】
現像カートリッジ１Ｂがドラムカートリッジ３０Ｂに装着された状態において、第２突部２１Ｂは、第２方向において、突部５０Ａと突部５０Ｃとの間に位置する。第２突部２１Ｂは、第２方向において、突部５０Ａおよび突部５０Ｃに対して、間隔を隔てて位置する。第２突部２１Ｂは、第３方向において、突部５０Ｂに対して、間隔を隔てて位置する。すなわち、第２突部２１Ｂは、ドラムカートリッジ３０Ｂに当接しない。
６．第３の仕様の現像カートリッジ１Ｃおよび第３の仕様のドラムカートリッジ３０Ｃ
図９を参照して、第３の仕様の現像カートリッジ１Ｃおよび第３の仕様のドラムカートリッジ３０Ｃについて説明する。なお、第３の仕様の現像カートリッジ１Ｃおよび第３の仕様のドラムカートリッジ３０Ｃにおいて、第１の仕様の現像カートリッジ１Ａおよび第１の仕様のドラムカートリッジ３０Ａと同様の部材には同じ符号を付し、その説明を省略する。
【００５５】
第３の仕様の現像カートリッジ１Ｃでは、第２突部２１Ｃは、第２方向において、第２の仕様の現像カートリッジ１Ｂの第２突部２１Ｂよりも他方に位置する。第３の仕様の現像カートリッジ１Ｃの第２突部２１Ｃは、後述する第３の仕様のドラムカートリッジ３０Ｃの突部６０Ｃに向かい合う位置に位置する。現像カートリッジ１Ｃでは、第２方向において、現像ローラ３の中心軸線Ａ４と、第２突部２１Ｃとの距離Ｄ９が、例えば、７７．７ｍｍ〜７８．１ｍｍであり、具体的には、７７．９ｍｍである。なお、距離Ｄ９は、７７．４ｍｍ〜７８．４ｍｍであってもよい。また、距離Ｄ９は、７５．５ｍｍ〜８０．３ｍｍであってもよい。距離Ｄ９は、上記した現像カートリッジ１Ａの距離Ｄ４、および、上記した現像カートリッジ１Ｂの距離Ｄ８よりも長い。なお、第２突部２１Ｃの位置以外の構造について、第３の仕様の現像カートリッジ１Ｃは、第１の仕様の現像カートリッジ１Ａと同様の構造である。
【００５６】
第３の仕様のドラムカートリッジ３０Ｃは、突部３６Ａ、突部３６Ｂ、突部３６Ｃ、壁４０および凹部４１の代わりに、突部６０Ａ、突部６０Ｂ、突部６０Ｃ、壁６１および凹部６２を備える以外、第１の仕様のドラムカートリッジ３０Ａと同様の構造である。
【００５７】
突部６０Ａは、第２方向において、突部３６Ａと同じ位置に位置する。突部６０Ａの第３方向における長さは、突部３６Ａの第３方向における長さよりも長い。
【００５８】
突部６０Ｂは、突部３６Ｂと同じ位置に位置し、同じ構造を有する。
【００５９】
突部６０Ｃは、第２方向において、突部３６Ｃと同じ位置に位置する。突部６０Ｃの第３方向における長さは、突部３６Ｃの第３方向における長さよりも短い。また、突部６０Ｃの第３方向における長さは、突部６０Ａの第３方向における長さ、および、突部６０Ｂの第３方向における長さよりも短い。
【００６０】
壁６１は、第２方向において、支持壁３７と突部６０Ｂとの間に位置する。壁６１は、第２方向に延びる。壁６１は、第２方向において、支持壁３７と突部６０Ａとの間、および、突部６０Ａと突部６０Ｂとの間を閉じる。
【００６１】
凹部６２は、第２方向において、突部６０Ｂに対して、支持壁３７の反対側に位置する。凹部６２は、第２方向において、壁６１に対して、支持壁３７の反対側に位置する。凹部６２は、第３方向において、壁３１Ｃへ向かって凹む。
【００６２】
現像カートリッジ１Ｃは、ドラムカートリッジ３０Ｃに適正に装着可能である。現像カートリッジ１Ｃと、ドラムカートリッジ３０Ｃとは、互いに、第３の仕様、すなわち、対応する特定の仕様を有する。
【００６３】
現像カートリッジ１Ｃがドラムカートリッジ３０Ｃに装着された状態において、第２突部２１Ｃは、第２方向において、突部６０Ｂよりも感光ドラム３２から離れて位置する。第２突部２１Ｃは、第２方向において、突部６０Ｂに対して、間隔を隔てて位置する。第２突部２１Ｃは、第３方向において、突部６０Ｃに対して、間隔を隔てて位置する。第２突部２１Ｃは、ドラムカートリッジ３０Ｃに当接しない。
７．第４の仕様の現像カートリッジ１Ｄおよび第４の仕様のドラムカートリッジ３０Ｄ
図１０を参照して、第４の仕様の現像カートリッジ１Ｄおよび第４の仕様のドラムカートリッジ３０Ｄについて説明する。なお、第４の仕様の現像カートリッジ１Ｄおよび第４の仕様のドラムカートリッジ３０Ｄにおいて、第１の仕様の現像カートリッジ１Ａおよび第１の仕様のドラムカートリッジ３０Ａと同様の部材には同じ符号を付し、その説明を省略する。
【００６４】
第４の仕様の現像カートリッジ１Ｄでは、第１突部２０Ｄは、第２方向において、第１の仕様の現像カートリッジ１Ａの第１突部２０Ａよりも感光ドラム３２の近くに位置する。現像カートリッジ１Ｄでは、第２方向において、現像ローラ３の中心軸線Ａ４と、第１突部２０Ｄの他方の端部との距離Ｄ１０が、例えば、４５．６ｍｍ〜４６．０ｍｍであり、具体的には、４５．８ｍｍである。なお、距離Ｄ１０は、４５．３ｍｍ〜４６．３ｍｍであってもよい。また、距離Ｄ１０は、４０．０ｍｍ〜５０．０ｍｍであってもよい。距離Ｄ１０は、現像カートリッジ１Ａの距離Ｄ１よりも短い。なお、第１突部２０Ａの位置以外の構造について、第４の仕様の現像カートリッジ１Ｄは、第１の仕様の現像カートリッジ１Ａと同様の構造である。
【００６５】
第４の仕様のドラムカートリッジ３０Ｄでは、押圧壁３８Ｄは、第２方向において、第１の仕様のドラムカートリッジ３０Ａの押圧壁３８Ａよりも感光ドラム３２の近くに位置する。ドラムカートリッジ３０Ｄでは、第２方向において、感光ドラム３２の中心軸線と、押圧壁３８Ｄとの距離Ｄ１１が、現像カートリッジ１Ｄがドラムカートリッジ３０Ｄに装着された後において、例えば、６９．９ｍｍ〜７０．５ｍｍであり、具体的には、７０．２ｍｍである。なお、距離Ｄ１１は、６９．７ｍｍ〜７０．７ｍｍであってもよい。また、距離Ｄ１１は、６４．９ｍｍ〜７５．５ｍｍであってもよい。距離Ｄ１１は、現像カートリッジ１Ａの距離Ｄ２よりも短い。なお、押圧壁３８Ｄの位置以外の構造において、第４の仕様のドラムカートリッジ３０Ｄは、第１の仕様のドラムカートリッジ３０Ａと同様の構造である。なお、ドラムカートリッジ３０Ｄでは、第２方向において、感光ドラム３２の中心軸線と、押圧壁３８Ｄとの距離が、現像カートリッジ１Ｄがドラムカートリッジ３０Ｄに装着される前において、例えば、６８．０ｍｍ〜６８．８ｍｍであり、具体的には、６８．４ｍｍである。なお、現像カートリッジ１Ｄがドラムカートリッジ３０Ｄに装着される前において、第２方向において、感光ドラム３２の中心軸線と、押圧壁３８Ｄとの距離は、６７．０ｍｍ〜６９．８ｍｍであっても良い。また、現像カートリッジ１Ｄがドラムカートリッジ３０Ｄに装着される前において、第２方向において、感光ドラム３２の中心軸線と、押圧壁３８Ｄとの距離は、６４．０ｍｍ〜７２．８ｍｍであっても良い。
【００６６】
現像カートリッジ１Ｄは、ドラムカートリッジ３０Ｄに適正に装着可能である。現像カートリッジ１Ｄと、ドラムカートリッジ３０Ｄとは、互いに、第４の仕様、すなわち、対応する特定の仕様を有する。
【００６７】
なお、第４の仕様のドラムカートリッジ３０Ｄでは、圧縮ばね３９は、第１の仕様のドラムカートリッジ３０Ａの圧縮ばね３９と同じである。第４の仕様のドラムカートリッジ３０Ｄでは、押圧壁３８Ｄと圧縮ばね３９との間に、スペーサ２２１が設けられている。これにより、第４の仕様のドラムカートリッジ３０Ｄでは、押圧部材３５Ａおよび押圧部材３５Ｂは、第１の仕様のドラムカートリッジ３０Ａの押圧部材３５Ａおよび押圧部材３５Ｂと同じ第１の押圧力で、現像カートリッジ１Ｄの第１突部２０Ｄを感光ドラム３２へ向けて押圧する。
８．第５の仕様の現像カートリッジ１Ｅおよび第５の仕様のドラムカートリッジ３０Ｅ
図１１を参照して、第５の仕様の現像カートリッジ１Ｅおよび第５の仕様のドラムカートリッジ３０Ｅについて説明する。なお、第５の仕様の現像カートリッジ１Ｅおよび第５の仕様のドラムカートリッジ３０Ｅにおいて、第１の仕様の現像カートリッジ１Ａおよび第１の仕様のドラムカートリッジ３０Ａと同様の部材には同じ符号を付し、その説明を省略する。
【００６８】
第５の仕様の現像カートリッジ１Ｅは、第２の仕様の現像カートリッジ１Ｂと同じ第２突部２１Ｂを備える以外、第４の仕様の現像カートリッジ１Ｄと同様の構造である。
【００６９】
第５の仕様のドラムカートリッジ３０Ｅは、第２の仕様のドラムカートリッジ３０Ｂと同じ突部５０Ａ、突部５０Ｂ、突部５０Ｃ、壁５１および凹部５２を備える以外、第４の仕様のドラムカートリッジ３０Ｄと同様の構造である。
【００７０】
現像カートリッジ１Ｅは、ドラムカートリッジ３０Ｅに適正に装着可能である。現像カートリッジ１Ｅと、ドラムカートリッジ３０Ｅとは、互いに、第５の仕様、すなわち、対応する特定の仕様を有する。
９．第６の仕様の現像カートリッジ１Ｆおよび第６の仕様のドラムカートリッジ３０Ｆ
図１２を参照して、第６の仕様の現像カートリッジ１Ｆおよび第６の仕様のドラムカートリッジ３０Ｆについて説明する。なお、第６の仕様の現像カートリッジ１Ｆおよび第６の仕様のドラムカートリッジ３０Ｆにおいて、第１の仕様の現像カートリッジ１Ａおよび第１の仕様のドラムカートリッジ３０Ａと同様の部材には同じ符号を付し、その説明を省略する。
【００７１】
第６の仕様の現像カートリッジ１Ｆは、第３の仕様の現像カートリッジ１Ｃと同じ第２突部２１Ｃを備える以外、第４の仕様の現像カートリッジ１Ｄと同様の構造である。
【００７２】
第６の仕様のドラムカートリッジ３０Ｆは、第３の仕様のドラムカートリッジ３０Ｃと同じ突部６０Ａ、突部６０Ｂ、突部６０Ｃ、壁６１および凹部６２を備える以外、第４の仕様のドラムカートリッジ３０Ｄと同様の構造である。
【００７３】
現像カートリッジ１Ｆは、ドラムカートリッジ３０Ｆに適正に装着可能である。現像カートリッジ１Ｆと、ドラムカートリッジ３０Ｆとは、互いに、第６の仕様、すなわち、対応する特定の仕様を有する。
１０．現像カートリッジとドラムカートリッジとの互換性
次いで、図１３〜図１５を参照して、現像カートリッジ１Ａから１Ｆとドラムカートリッジ３０Ａから３０Ｆとの互換性について説明する。
【００７４】
上記したように、現像カートリッジ１Ａから１Ｆは、それぞれ、対応する特定の仕様を有するドラムカートリッジに対して、適正に装着可能である。言い換えると、ドラムカートリッジ３０Ａから３０Ｆには、それぞれ、対応する特定の仕様を有する現像カートリッジが装着可能である。
【００７５】
対して、現像カートリッジ１Ａから１Ｆは、対応する特定の仕様とは異なる仕様を有するドラムカートリッジに対して、装着できないか、または、装着できても、第１突部２０Ａまたは２０Ｄが、第１の押圧力を受けない。言い換えると、ドラムカートリッジ３０Ａから３０Ｆには、異なる仕様を有する現像カートリッジが、装着できないか、または、装着できても、押圧部材３５Ａおよび押圧部材３５Ｂが、第１突部２０Ａまたは２０Ｄを第１の押圧力で押圧しない。
１０．１  ドラムカートリッジ３０Ｂに対する現像カートリッジ１Ａの装着
現像カートリッジ１Ａから１Ｃが、ドラムカートリッジ３０Ａから３０Ｃのうちの異なる仕様を有するドラムカートリッジに装着される場合、第２突部２１Ａが、異なる仕様を有するドラムカートリッジの突部と当接する。これにより、異なる仕様を有するドラムカートリッジに対する現像カートリッジ１Ａから１Ｃの装着が規制される。
【００７６】
言い換えると、ドラムカートリッジ３０Ａから３０Ｃに、現像カートリッジ１Ａから１Ｃのうちの異なる仕様を有する現像カートリッジが装着されるときには、突部３６Ａから３６Ｃ、５０Ａから５０Ｃ、または、６０Ａから６０Ｃのいずれかは、異なる仕様を有する現像カートリッジの第２突部に当接して、異なる仕様を有する現像カートリッジが装着されることを規制する。
【００７７】
なお、現像カートリッジ１Ｄから１Ｆが、ドラムカートリッジ３０Ｄから３０Ｆのうちの異なる仕様を有するドラムカートリッジに装着される場合も同様である。
【００７８】
図１３に示すように、現像カートリッジ１Ａが、異なる仕様を有するドラムカートリッジ３０Ｂに装着された場合、現像カートリッジ１Ａの第２突部２１Ａは、ドラムカートリッジ３０Ｂの突部３６Ａに当接する。これにより、ドラムカートリッジ３０Ｂに対する現像カートリッジ１Ａの装着が規制される。つまり、現像カートリッジ１Ａは、ドラムカートリッジ３０Ｂに装着できない。
【００７９】
また、第１突部２０Ａは、第３方向において、押圧部材３５Ａに対してずれて位置する。そのため、第１突部２０Ａは、第１の押圧力を受けない。
１０．２  ドラムカートリッジ３０Ｄに対する現像カートリッジ１Ａの装着
現像カートリッジ１Ａから１Ｃがドラムカートリッジ３０Ｄから３０Ｆに装着される場合、第２突部２１Ａから２１Ｃは、面２２と異なる部分で、ドラムカートリッジ３０Ｄから３０Ｆの押圧壁３８Ｄに当接する。これにより、ドラムカートリッジ３０Ｄから３０Ｆに対する現像カートリッジ１Ａから１Ｃの装着が規制される。
【００８０】
図１４に示すように、現像カートリッジ１Ａが、異なる仕様を有するドラムカートリッジ３０Ｄに装着された場合、現像カートリッジ１Ａの第１突部２０Ａは、面２２と異なる部分で、ドラムカートリッジ３０Ｄの押圧壁３８Ｄに当接する。これにより、ドラムカートリッジ３０Ｄに対する現像カートリッジ１Ａの装着が規制される。つまり、現像カートリッジ１Ａは、ドラムカートリッジ３０Ｄに装着できない。
【００８１】
また、第１突部２０Ａは、第３方向において、押圧壁３８Ｄに対してずれて位置する。そのため、第１突部２０Ａは、第１の押圧力を受けない。
１０．３  ドラムカートリッジ３０Ａに対する現像カートリッジ１Ｄの装着
図１５に示すように、現像カートリッジ１Ｄが異なる仕様を有するドラムカートリッジ３０Ａに装着された場合、現像カートリッジ１Ａの第１突部２０Ａは、第２方向において、ドラムカートリッジ３０Ｄの押圧壁３８Ｄに対して間隔を隔てて位置する。そのため、第１突部２０Ａは、第１の押圧力を受けない。
【００８２】
なお、現像カートリッジ１Ｅがドラムカートリッジ３０Ｂに装着される場合、および、現像カートリッジ１Ｆがドラムカートリッジ３０Ｃに装着される場合も同様である。
１１．作用効果
現像カートリッジ１Ａから１Ｆおよびドラムカートリッジ３０Ａから３０Ｆによれば、現像カートリッジ１Ａから１Ｆが異なる仕様を有するドラムカートリッジに対して装着される場合、現像カートリッジ１Ａから１Ｆがドラムカートリッジに対して装着できないか、または、装着できても、第１突部２０Ａまたは２０Ｄが、第１の押圧力を受けない。
【００８３】
具体的には、図１３に示すように、現像カートリッジ１Ａの第２突部２１Ａが、ドラムカートリッジ３０Ｂの突部５０Ａに当接することにより、現像カートリッジ１Ａのドラムカートリッジ３０Ｂに対する装着が規制される。
【００８４】
また、図１４に示すように、現像カートリッジ１Ａの第１突部２０Ａが、面２２と異なる部分で、ドラムカートリッジ３０Ｄの押圧壁３８Ｄに当接することにより、現像カートリッジ１Ａのドラムカートリッジ３０Ｄに対する装着が規制される。
【００８５】
また、図１５に示すように、現像カートリッジ１Ｄがドラムカートリッジ３０Ａに装着された状態で、第１突部２０Ａと押圧壁３８Ｄとが当接せず、第１突部２０Ａが、第１の押圧力を受けない。
【００８６】
これにより、使用者は、現像カートリッジの仕様とドラムカートリッジの仕様とが対応していないことに気付くことができる。
【００８７】
その結果、現像カートリッジを、対応する仕様を有するドラムカートリッジに、適正に装着できる。
１２．変形例
（１）上記した実施形態では、第１突部２０Ａまたは２０Ｄは、外面２Ａから延びているが、これに限定されるものではない。例えば、第１突部２０Ａまたは２０Ｄは、外面２Ａに、別部材として取り付けられてもよい。また、別部材を介して、第１突部２０Ａまたは２０Ｄは、外面２Ａに取り付けられてもよい。第１突部２０Ａまたは２０Ｄは、外面２Ａに対して固定されていればよい。
【００８８】
また、同様に、第２突部２１Ａから２１Ｃも、外面２Ａに、別部材として取り付けられてもよい。また、別部材を介して、第２突部２１Ａから２１Ｃは、外面２Ａに取り付けられてもよい。第２突部２１Ａから２１Ｃは、外面２Ａに対して固定されていればよい。
（２）上記した実施形態では、ドラムカートリッジ３０Ａから３０Ｆは、突部３６Ａから３６Ｃ、５０Ａから５０Ｃ、または、６０Ａから６０Ｃを有しているが、突部の個数は、３つに限定されず、現像カートリッジおよびドラムカートリッジの仕様の数に応じて設定できる。例えば、２つでもよいし、４つでもよい。
（３）上記した実施形態では、現像カートリッジ１Ｄがドラムカートリッジ３０Ａに装着された場合に、現像カートリッジ１Ｄの第１突部２０Ｄがドラムカートリッジ３０Ａの押圧壁３８Ａと当接しないように構成しているが、例えば、現像カートリッジ１Ｄの第１突部２０Ｄが、ドラムカートリッジ３０Ａの押圧壁３８Ａに当接し、第１の押圧力よりも小さな第２の押圧力を受けるように構成してもよい。
【００８９】
具体的には、現像カートリッジ１Ｄの第１突部２０Ｄがドラムカートリッジ３０Ａの押圧壁３８Ａに当接した状態で、圧縮ばね３９の縮み量が、現像カートリッジ１Ｄがドラムカートリッジ３０Ｄに装着された場合と比べて小さくなるように構成する。
【００９０】
この場合、現像カートリッジ１Ｄがドラムカートリッジ３０Ａに装着されたときに、第１突部２０Ｄは、押圧部材３５Ａから感光ドラム３２へ向けて第１の押圧力よりも小さな第２の押圧力を受ける。言い換えると、ドラムカートリッジ３０Ａに現像カートリッジ１Ｄが装着されたときに、押圧部材３５Ａは、現像カートリッジ１Ｄの第１突部２０Ｄを感光ドラム３２へ向けて第１の押圧力よりも小さな第２の押圧力で押圧する。
【符号の説明】
【００９１】
１Ａ〜１Ｆ      現像カートリッジ
２              筐体
２Ａ            外面
３              現像ローラ
５              アジテータ
１１            カップリング
１１Ｂ          カップリングギア
１２            現像ローラギア
１４            アイドルギア
１４Ａ          第１アイドルギア
１４Ｂ          第２アイドルギア
１５            アジテータギア
２０Ａ、２０Ｄ  第１突部
２１Ａ〜２１Ｃ  第２突部
３０Ａ〜３０Ｆ  ドラムカートリッジ
３１            フレーム
３２            感光ドラム
３５Ａ          押圧部材
３５Ｂ          押圧部材
３６Ａ〜３６Ｃ  突部
５０Ａ〜５０Ｃ  突部
６０Ａ〜６０Ｃ  突部
Ａ１            第１軸
Ａ２            第２軸
Ａ３            第３軸
Ｃ１            歯先円
Ｃ２            歯先円
Ｃ３            歯先円
Ｃ４            歯先円
Ｅ１            第１端部
Ｅ２            第２端部
【図１】
0006661945.tif 000002
【図２】
0006661945.tif 000003
【図３】
0006661945.tif 000004
【図４】
0006661945.tif 000005
【図５】
0006661945.tif 000006
【図６】
0006661945.tif 000007
【図７】
0006661945.tif 000008
【図８】
0006661945.tif 000009
【図９】
0006661945.tif 000010
【図１０】
0006661945.tif 000011
【図１１】
0006661945.tif 000012
【図１２】
0006661945.tif 000013
【図１３】
0006661945.tif 000014
【図１４】
0006661945.tif 000015
【図１５】
0006661945.tif 000016